(57)【特許請求の範囲】
【請求項１】
照明部と、この照明部への給電機能を有する本体部とを備え、前記本体部が、所定の位置に取り付けられる支持具に支持されることで取り付けられる照明器具であって、
前記本体部の背面に、柱部材を介して薄板状のフランジ部材を取り付けることで前記背面とフランジ部材との間に周回凹部を形成する一方、前記支持具は、線材を折り曲げて前記柱部材の大きさに対応するほぼＵ字形状に形成され前記周回凹部に対し係脱可能である係合部を有し、
前記支持具の係合部を、前記周回凹部を通じて前記柱部材に係脱可能に係合させることで、前記照明部が前記支持具にて支持されることを特徴とする照明器具。
【請求項２】
前記柱部材は、断面正方形状であり、前記支持具の係合部は、前記柱部材に上下および左右の４方向から係合可能とされている請求項１記載の照明器具。
【請求項３】
前記支持具の係合部は、前記柱部材の挿入側の幅が前記柱部材の幅よりも少し狭くなっている請求項１または２記載の照明器具。
【請求項４】
前記支持具は、壁面に取付固定されるものであり、前記フランジ部材が係脱可能である被係合部が形成されている請求項１記載の照明器具。
【請求項５】
前記本体部は、表面側に、一定の範囲内に検知対象物が侵入したことを検知するセンサ部を有する請求項１〜４のいずれか１つに記載の照明器具。
【発明の詳細な説明】
【０００１】
【発明の属する技術分野】
この発明は、照明器具に関する。特に、照明部と、この照明部への給電機能を有する本体部とを備え、前記本体部が、ベランダの手摺り（ベランダ壁を含む）、ポール、柱、壁面などに支持具を用いて取り付けることができる照明器具に関するものである。
【０００２】
【従来の技術】
従来より、照明器具として、センサの検知範囲内に人、車等の検知対象物が侵入すると、照明部を点灯することで、必要時にのみ照明部を作動させるようにしたセンサ付きライトは知られている。具体的には、図６に示すように、そのような照明器具１０１は、照明部１０２と、この照明部１０２への給電機能を有する本体部１０３とを有し、その本体部１０３の背面に、所定の位置に、後述する支持具１０５を用いて取り付けるための取付ブラケット１０４が設けられている。なお、前記取付ブラケット１０４の各面には、支持具１０５を適用するために挿通孔１０４ａまたは１０４ｂが設けられ、各挿入孔１０４ａ，１０４ｂはそれぞれ円形の中心孔より左右に矩形孔が延びる形状となっている。
【０００３】
また、照明部１０２は、基部１０２ａに支持される蛍光灯１０２ｂが透光性を有するカバー１０２ｃで覆われ、そのカバー１０２ｃがビス１０２ｄにて基部１０２ａにねじ止めされている。そして、その照明部１０２は、給電機能を有する本体部１０３より上方に突出する支持部１０３ａに対し照明角度を調整可能に取り付けられており、本体部１０３の下部にはセンサ部１０６がセンサ角度を調整可能に設けられている。
【０００４】
このような照明器具１０１を、たとえばベランダの柱やパイプ、あるいは壁の横端や上端に取り付ける場合に必要とされる支持具１０５は、例えば図７（ｂ）に示すように、２本のＬ形ボルト１１１、クランプ台１１２、及び２つの蝶ナット１１３によって構成される。
【０００５】
そして、例えば縦向きのパイプＰ１（あるいは柱）に取り付ける場合には、まず、図７（ａ）に示すように、Ｌ型ボルト１１１の挿入部分１１１ａを、取付ブラケット１０４の挿通孔１０４ａを通じてＡの方向に差し込み、前記挿入部分１１１ａの先端部が、反対側に位置する挿通孔１０４ａまで貫通させ、その貫通後に、前記両挿通孔１０４ａを軸受けとして機能させ、Ｂの方向に回転する。これにより、ボルト１１１の挿入部分１１１ａと取付ブラケット１０４の挿通孔１０４ａの向きが一致しないと、Ｌ形ボルト１１１が、取付ブラケット１０４から抜けるということは起こらない。
【０００６】
これは、この挿入部分１１１ａには、前記挿通孔１０４ａの前記形状に対応する形状の係合突部１１１ｂが形成されており、この係合突部１１１ｂと挿通孔１０４ａとの向きが一致しないと前記挿入部分１１１ａを挿通孔１０４ａに挿入したり、挿入孔１０４ａから引き抜いたりすることができないからである。
【０００７】
それから、図７（ｂ）に示すように、Ｌ型ボルト１１１でパイプＰ１を挟むように取付ブラケット１０４をパイプＰ１に押し当て、その状態でクランプ台１１２を横向きとしてそれの挿通孔１１２ａ（対角に位置する挿通孔）に前記ボルト１１１を通し、蝶ナット１１３でしっかりと締め付ける。これにより照明器具１０１が縦向きのパイプＰ１に取り付けられる。
【０００８】
また、横向きのパイプＰ２（あるいは柱）に取り付ける場合には、図８に示すように、Ｌ型ボルト１１１を取付ブラケット１０４の上下の挿通孔１０４ｂに挿通し、同様に取り付ける。
【０００９】
壁Ｗ１の横端に取り付ける場合には、図９に示すように、Ｌ型ボルト１１１の挿入部分１１１ａを取付ブラケット１０４の横側（同一側）の挿通孔１０４ａに挿入し、取付ブラケット１０４とクランプ台１１２との間で壁Ｗ１の横端を挟むようにして蝶ナット１１３で締め付け、それによって取付固定する。
【００１０】
また、壁Ｗ２（あるいは柱）に取り付ける場合には、図１０に示すように、Ｌ型ボルト１１１を取付ブラケット１０４の上側の挿通孔１０４ｂに挿通し、取付ブラケット１０４とクランプ台１１２とで挟むことで、同様に取り付ける。
【００１１】
【発明が解決しようとする課題】
しかしながら、そのような照明器具１０１の取り付けは、その取り付けに用いる支持具の部品点数（２本のＬ形ボルト１１１、クランプ台１１２、及び２つの蝶ナット１１３）が多く、取付作業が非常に面倒であり、その取付作業に時間を要する。すなわち、いずれの場所に取り付けるにしても、先ず取付ブラケット１０４に開設した挿通孔１０４ａ，１０４ｂのうち特定の２つの挿通孔に２本のＬ形ボルト１１１を１本ずつ挿通しなければならず、また、取付場所を変更したい場合などには、蝶ナット１１３を取り外し、それから取付ブラケット１０４の挿通孔１０４ａまたは１０４ｂより２本のＬ形ボルト１１１をそれぞれ抜き取り、照明器具と支持部とを分離する必要がある。それから、また所定の２つの挿通孔に２本のＬ形ボルト１１１を挿通し、クランプ台１１２を適用し、蝶ナット１１３で締め付けなければならなかった。
【００１２】
この発明は、かかる点に鑑みてなされたもので、支持具より取り外すことなく、取り付けだけでなく、取り付け場所の変更も容易に行うことができる照明器具を提供することを目的とする。
【００１３】
【課題を解決するための手段】
上記目的を達成するために、請求項１の発明は、照明部と、この照明部への給電機能を有する本体部とを備え、前記本体部が、所定の位置に取り付けられる支持具に支持されることで取り付けられる照明器具であって、
前記本体部の背面に、柱部材を介して薄板状のフランジ部材を取り付けることで前記背面とフランジ部材との間に周回凹部を形成する一方、前記支持具は、線材を折り曲げて前記柱部材の大きさに対応するほぼＵ字形状に形成され前記周回凹部に対し係脱可能である係合部を有し、前記支持具の係合部を、前記周回凹部を通じて前記柱部材に係脱可能に係合させることで、前記照明部が前記支持具にて支持される構成とする。
【００１４】
このようにすれば、本体部の背面とフランジ部材との間に形成される周回凹部（間隙）を、支持具の係合部に係脱可能に係合させることにより、照明器具と支持具との取り付けがなされるので、照明器具を支持具より取り外すことなく所定の位置への取り付けが容易である。また、取り付け場所を変更する場合も、照明器具を支持具より取り外すことなく支持具を最初の取り付け場所より取り外し、そのまま変更したい取り付け場所に持って行けば、取り付けることができるので、取り付け場所の変更も容易に行うことができる。
【００１６】
また、支持具の係合部は、線材を折り曲げてほぼＵ字形状に形成されているので、構造がシンプルであり、製造も簡単である。また、支持具のほぼＵ字形状の係合部の開放側から、前記周回凹部に挿入することで、無理なく前記柱部材に係脱可能に係合させ、前記照明器具が前記支持具の係合部にて支持されるようにできる。
【００１７】
請求項２に記載のように、前記柱部材は、断面正方形状であり、前記支持具の係合部は、前記柱部材に上下および左右の４方向からを係合可能とされている構成とすることもできる。
【００１８】
このようにすれば、照明部の照明方向に応じて、周回凹部に向きを選択して係合させることで、照明器具の取付状態（係合状態）を簡単に変更することができる。
【００１９】
請求項３に記載のように、前記係合部は、前記柱部材の挿入側の幅が前記柱部材の幅よりも少し狭くなっているように構成することが望ましい。
【００２０】
このようにすれば、前記係合部は、前記柱部材の挿入側の幅が前記柱部材の幅よりも少し狭くなっているので、柱部材を挿入したとき、係合部が柱部材を弾性的に締め付けるようになり、外れにくくなる。
【００２１】
請求項４に記載のように、前記支持具は、壁面に取付固定されるものであり、前記フランジ部材が係脱可能である係合部が形成されているようにしてもよい。
【００２２】
このようにすれば、屋内や屋外の壁面に支持具を取付固定して、支持具の係合部に照明器具のフランジ部材を係合させることで、照明器具を屋内や屋外の壁面に設置することが可能となる。また、支持具の係合部にフランジ部材を係合させた状態でそれらをねじ止めすれば、確実に取付固定することができる。
【００２３】
請求項５に記載にように、前記本体部は、表面側に、一定の範囲内に検知対象物が侵入したことを検知するセンサ部を有するようにすることもできる。
【００２４】
このようにすれば、一定の範囲（検知範囲）内に人、車等の検知対象物が侵入したことをセンサ部にて検知することにより、照明部にて照明を行い、注意を喚起するようにできる。
【００２５】
【発明の実施の形態】
以下、この発明の実施の形態を図面に沿って説明する。
【００２６】
図１は本発明に係る照明器具とそれの支持具との関係を示す斜視図、図２は本発明に係る照明器具の本体部の要部縦断面図、図３は図２のIII-III線における断面図である。
【００２７】
図１に示すように、照明器具１は、照明部２と、この照明部２への給電機能を有する本体部３とを有し、その本体部３が、支持具４を介して被取付部に取り付けられる。照明部２は、本体部３の上側の支持ブラケット部５に回転可能に軸支されている。前記本体部３の前側下部には、窓部６が形成され、その窓部６の内側にセンサ（図示せず）が内蔵されている。
【００２８】
また、前記本体部３は、前側部材７Ａと後側部材７Ｂとが結合されてなるケーシング７を有し、その内部に照明具２へ給電する給電部（図示せず）を内蔵するものである。本体部３（後側部材７Ｂ）の背面側には、フランジ部材１１が、４つの止めねじ１２にて本体部３の後側部材７Ｂに取付固定されている。
【００２９】
フランジ部材１１は、ほぼ正方形の薄板状のフランジ部１１Ａを有し、このフランジ部１１Ａの裏面側中央に、前記フランジ部１１Ａに対応する形状の柱部１１Ｂ（柱部材）が突出するように一体に形成されている。なお、この柱部１１Ｂは、後側部材７Ｂと一体に形成してもよいし、フランジ部１１Ａや後側部材７Ｂとは別体としてもよいのはいうまでもない。
【００３０】
このフランジ部材１１は、柱部１１Ｂの先端が本体部３（後側部材７Ｂ）の背面に当接した状態で、４つの止めねじ１２にて本体部３に取付固定され、一体化されている。これにより、前記本体部３の背面とフランジ部１１Ａとの間に、柱部１１Ｂの高さに相当する大きさの隙間が形成され、その隙間が周回凹部１３となっている。この隙間が柱部１１Ｂの周囲にわたって形成されている。
【００３１】
それと共に、後側部材７Ｂの背面側であって照明部２が設けられている側とは反対側に、係合凹部７ａが形成されている。この係合凹部７ａは、後述するように、照明器具１を屋内や屋外の壁面に取り付ける場合に用いられるものである。また、後側部材７Ｂには、中央部において内部より導き出されたＡＣコード２４が収納される収納凹部７ｂも形成されている。なお、前記照明部２，本体部３、支持ブラケット部５及びフランジ部材１１は、合成樹脂にて成形されている。
【００３２】
前記支持具４は、線材（鉄）を折り曲げて形成される係止部材２１と、合成樹脂によって成形されたクランプ台２２と、２つの蝶ナット２３とにより構成される。係止部材２１は、ほぼＵ字形状に折り曲げられた係止部本体２１ａと、この係止部本体２１ａの両端部より互いに反対方向にフランジ部１１Ａの幅にほぼ相当するまで延びる中間部２１ｂ，２１ｂと、この中間部２１ｂ、２１ｂの端部から係止部本体２１ａにそれらに直交する方向に互いに平行に、前記フランジ部１１Ａの幅に相当する間隔を保って延びる結合棒部２１ｃ、２１ｃとを有する。これらの結合棒部２１ｃの先端部には、雄ねじ部２１ｄが形成されている。この係止部材２１の雄ねじ部２１ｄは、クランプ台２２の貫通孔２２ａを貫通し、係止部材２１とクランプ台２２との間にパイプなどの被取付部を挟んだ状態で挿通された雄ねじ部２１ｄには蝶ナット２３が回転可能に螺合されている。なお、クランプ台２２には、前記パイプなどの被取付部が係合する係合凹部２２ｂが形成されている。
【００３３】
ここで、係止部本体２１ａは、直線状の第１の部分２１ｅと、その第１の部分２１ｅの両端よりそれと直交する方向に同一平面内においてほぼ平行に延びる２つの第２の部分２１ｆ，２１ｆとを有するようにしているが、前記第１の部分を直線状にする必要はなく、湾曲線状にしてもよい。
【００３４】
よって、係止部材２１の雄ねじ部２１ｄがクランプ台２２の貫通孔２２ａを貫通するようにし、その突出した雄ねじ部２１ｄに蝶ナット２３を螺合させた状態で、前記係止部材２１の係止部本体２１ａを、図１において矢符で示すように、周回凹部１３に挿入し前記柱部１１Ｂに係脱可能に係合することで、支持具３と照明器具１とを一体化することができ、その状態でそれら全体として取り付け、取り外しができる。
【００３５】
前記柱部１１Ｂが断面正方形状である一方、係止部本体２１ａはほぼＵ字形状であるので、係止部材２１の係止部本体２１ａに対し、照明器具１を９０度回転した状態でも挿入可能であり、照明部２による照明方向を簡単に変更することができる。すなわち、係止部本体２１ａおよび中間部２１ｂ，２１ｂは、照明器具１に対して上下両側及び左右両側の４方向のいずれの方向からも挿入が可能であり、前記照明器具１の本体部３の向きを選択して係合させるので、係止部本体２１ａの取付方向を簡単に変更することができるようになる。
【００３６】
また、係止部材２１の係止部本体２１ａの挿入側の幅（中間部２１ｂ，２１ｂ側の幅）は狭くなっているので、柱部８が挿入された後、係止部本体２１ａが柱部１１Ｂを両側から弾性的に締め付けるようになり、差し込んだだけであっても抜けにくくなり、不用意に外れるということがなくなる。
【００３７】
前記フランジ部材１１のフランジ部１１Ａは、外側面に前記柱部１１Ｂの各側面に直交する方向に延びる凹部１１ａが十字形状に形成され、パイプなどに取り付ける場合には、その凹部１１ａにパイプなどの被取付部が係合することとなり、フランジ部材１１とクランプ台２２との間にパイプなどの被取付部がしっかりと挟持され、取付固定される。また、係止部材２１の係止部本体２１ａが挿入されたとき周回凹部１３の幅が狭くても、フランジ部１１Ａが撓むことで無理なく挿入されるようになっている。なお、前記凹部１１ａは、深さが浅く、断面逆三角形状に形成されている。
【００３８】
したがって、上記照明器具１を、例えば図４（ａ）に示すベランダＳの手摺りの横パイプＰ（図４（ａ）のＡ参照）に取り付けるには、図４（ｂ）に示すようにすればよい。すなわち、まず、照明器具１の周回凹部１３を通じて係止部材２１の係止部本体２１ａを柱部１１Ｂに係脱可能に係合させる。これにより、照明器具１の柱部１１Ｂが、係止部材２１の係止部本体２１ａの第２の部分２１ｆ，２１ｆに弾性的に挟持され、係止部材２１に支持される。それから、クランプ台２２の貫通孔２２ａに係止部材２１の雄ねじ部２１ｄを貫通させた状態で、照明器具１のフランジ部材１１とクランプ台２２との間に横パイプＰを挟持して、蝶ナット２３を締め込むことで、前記横パイプＰに取付固定される。
【００３９】
また、上記照明器具１を、例えば図４（ａ）に示すベランダの隣室間の仕切壁Ｗに（図４（ａ）のＢ参照）に取り付けるには、図４（ｃ）に示すようにすればよい。すなわち、照明器具１が前述した場合と同様に係止部材２１に係止され、かつクランプ台２２の貫通孔２２ａに係止部材２１の雄ねじ部２１ｄを貫通させた状態で、照明器具１のフランジ部材１１とクランプ台２２との間に仕切壁Ｗを挟持し、蝶ナット２３を締め込むことで、支持具４が前記仕切壁Ｗに取付固定される。
【００４０】
さらに、取付場所を変更する場合には、蝶ナット２３を緩めるだけで、前記横パイプＰや仕切壁Ｗより簡単に取り外すことができ、前述したのと同様にして変更場所において、照明器具１のフランジ部材１１とクランプ台２２との間に被取付部を挟み、蝶ナット２３を締め付けることで、簡単に取り付けることができるようになる。
【００４１】
すなわち、前述した図７および図８に示すような従来の構造においては、Ｌ形ボルト１１１の間にポールを通すように取り付けた場合には、センサ付きライトを一旦取り外してみたいときや、別の場所でセンサ付きライトを使ってみたいときにセンサ付きライトを取り外す作業において蝶ナット１１３を少なくとも１個は完全に外さなければ、センサ付きライトをポールから取り外すことができないが、この場合Ｌ形ボルト１１１や蝶ナット１１３が経年変化で錆びていると、蝶ナット１１３が少しは緩められるが、完全に取り外すまで回転することができない場合があり、２度とセンサ付きライトを取り外せなくなるという不具合があった。図１〜図４に示す本発明に係る構造では、照明器具１を支持具４より取り外すことなく支持具４を取付場所より取り外すことができるので、蝶ナット２３が経年変化により錆びていても、蝶ナット２３を少し緩めることができれば、取り外すことができる。
【００４２】
ところで、前記支持具４は、例えばベランダの横パイプ、仕切壁等に取り付ける際に用いるのであるが、図５に示す壁面用支持具３１を用いることで、屋内や屋外の壁面に取り付けることも可能である。
【００４３】
すなわち、壁面用支持具３１は、フランジ部材１１のフランジ部１１Ａが係脱可能である被係合部３１ａが一側に形成される支持具本体部３１Ａと、その支持具本体部３１Ａの下部の一側において下方に延びる断面Ｌ字形状の係合部３１Ｂ（係合部）とを備える。支持具本体部３１Ａには、壁面への取り付けのため４つの取付孔３１ｂが設けられ、その取付孔３１ｂを通じて止めねじを適用することで、壁面に取付固定される。そして、支持具本体部３１Ａの被係合部３１ａに照明器具１のフランジ部１１Ａが係脱可能に係合されると、係合部３１Ｂが係合凹部７ａに係合されるようになっている。その係合状態で支持具３１を止めねじ３２で固定すれば、両者の取付けが確実となる。
【００４４】
【発明の効果】
この発明は、以上に説明したように実施され、以下に述べるような効果を奏する。
【００４５】
請求項１の発明は、本体部の背面とフランジ部材との間に形成される周回凹部（間隙）を、所定の位置に取り付けられる支持具の係合部に対し係脱可能に係合させるようにしているので、支持具より照明器具を取り外すことなく、照明器具の取り付け、及び取り付け場所の変更を容易に行うことができる。
【００４６】
また、支持具の係合部を線材を折り曲げてほぼＵ字形状に形成するようにすれば、構造がシンプルになり、製造も簡単であり、周回凹部への挿入も容易である。
【００４７】
請求項２に記載のように、前記柱部材を断面正方形状とし、前記支持具の係合部を、前記周回凹部に向きを選択して係合可能となるように形成すれば、照明器具の照明方向に応じて、それの取付状態（係合状態）を簡単に変更することができる。
【００４８】
請求項３に記載のように、前記係合部は、前記柱部材の挿入側の幅が前記柱部材の幅よりも少し狭くなるようにすれば、柱部材が挿入されたとき、係止部が柱部材を弾性的に締め付けるようになり、外れにくくすることができる。
【００４９】
請求項４に記載のように、前記支持具が、壁面に取付固定されるものであり、前記支持具に、前記フランジ部材が係脱可能である係合部を形成するようにすれば、屋内や屋外の壁面に支持具を取付固定して、支持具の係合部に照明器具のフランジ部材を係合させることで、照明器具を屋内や屋外の壁面に設置することが可能となる。また、支持具の係合部にフランジ部材を係合させた状態でそれらをねじ止めすれば、確実に取付固定することができる。
【００５０】
請求項５に記載にように、前記本体部が、表面側に、検知対象物が侵入したことを検知するセンサ部を有するようにすれば、一定の範囲（検知範囲）内に人、車等の検知対象物が侵入したことをセンサ部にて検知することにより、照明部にて照明を行い、注意を喚起するようにできる。特に、このようなセンサ部を有する場合には、検知範囲を所定の方向にするために、照明器具の取り付けの向きを変更したり、取り付け場所を変更したりする必要が生ずる場合が多いので、前述した構成の照明器具の場合には特に有効である。
【図面の簡単な説明】
【図１】本発明に係る照明器具と支持具との関係を示す斜視図である。
【図２】本発明に係る照明器具の本体部の要部縦断面図である。
【図３】図２のIII-III線における断面図である。
【図４】本発明に係る照明器具をベランダに取り付ける場合の説明図である。
【図５】本発明に係る照明器具を壁面に取り付ける場合の説明図である。
【図６】従来の照明器具の分割斜視図である。
【図７】（ａ）（ｂ）は従来の照明器具の取付方法の説明図である。
【図８】従来の照明器具の取付方法の説明図である。
【図９】従来の照明器具の取付方法の説明図である。
【図１０】従来の照明器具の取付方法の説明図である。
【符号の説明】
１    照明器具
２    照明部
３    本体部
４    支持具
７    ケーシング
７Ａ    前側部材
７Ｂ    後側部材
７ａ    係合凹部
１１    フランジ部材
１１Ａ    フランジ部
１１Ｂ    柱部
１１ａ    凹部
１３    周回凹部
２１    係止部材
２１ａ    係止部本体
２１ｄ    雄ねじ部
２２    クランプ台
２３    蝶ナット
【図１】
0004493232.tif 000002
【図２】
0004493232.tif 000003
【図３】
0004493232.tif 000004
【図４】
0004493232.tif 000005
【図５】
0004493232.tif 000006
【図６】
0004493232.tif 000007
【図７】
0004493232.tif 000008
【図８】
0004493232.tif 000009
【図９】
0004493232.tif 000010
【図１０】
0004493232.tif 000011